(57)【要約】【課題】ユーザが作成処理を複数回せずとも、所望するダイジェスト動画像を作成でき、また、長時間・大量の映像が入力された場合でも、ダイジェストの出来上がりイメージを容易に確認できる、映像編集装置または方法を提供する。【解決手段】複数の画像データから構成される画像データ群を入力する画像入力部と、ダイジェスト方針の選択画面を作成、表示するダイジェスト方針表示部と、前記選択画面においてユーザが選択した前記ダイジェスト方針に基づいて前記画像データ群からダイジェスト動画像を生成するダイジェスト動画像生成部とを有し、前記画像データ群から背景画像を選択し、前記背景画像を用いて前記選択画面を作成することにより、上記課題を解決する。【選択図】図４
2016072787.tif 000002
【特許請求の範囲】
【請求項１】
複数の画像データから構成される画像データ群を入力する画像入力部と、
ダイジェスト方針の選択画面を作成、表示するダイジェスト方針表示部と、
前記選択画面において選択された前記ダイジェスト方針に基づいて、前記画像データ群からダイジェスト動画像を生成するダイジェスト動画像生成部と
を備える映像編集装置であって、
前記ダイジェスト方針表示部は、
前記画像データ群から背景画像を選択し、前記背景画像を用いて前記選択画面を作成すること
を特徴とする映像編集装置。
【請求項２】
前記ダイジェスト方針表示部は、
前記画像データ群を構成する画像データ各々からフレームを選択し、前記選択したフレームを時間的に結合したものを前記背景画像とすること
を特徴とする、請求項１に記載の映像編集装置。
【請求項３】
前記ダイジェスト方針表示部は、
前記背景画像を前記ダイジェスト方針ごとに選択すること
を特徴とする、請求項１または２に記載の映像編集装置。
【請求項４】
複数の画像データから構成される画像データ群を入力するステップと、
ダイジェスト方針の選択画面を作成、表示するステップと、
前記前記選択画面において選択された前記ダイジェスト方針に基づいて、前記画像データ群からダイジェスト動画像を生成するステップと
を有する映像編集方法であって、
さらに、前記画像データ群から背景画像を選択し、前記背景画像を用いて前記選択画面を作成すること
を特徴とする映像編集方法。
【発明の詳細な説明】
【技術分野】
【０００１】
本発明は、動画像や静止画像などの映像情報を自動的に編集する映像編集装置および映像編集方法に関する。
【背景技術】
【０００２】
デジタルカメラやスマートフォン等、静止画像や動画像などの撮影機能を有する映像機器の普及と、メモリカード等の記録メディアの大容量化を背景に、気軽に映像情報を撮りためることができるようになっている。このような映像機器のユーザが撮りためた映像情報の活用手段の一つとして、ダイジェスト動画像の生成がある。ダイジェスト動画像は、多数あるいは長時間の動画像を入力とし、その全てを観賞する代わりに要約的にあるいは部分的に観賞できるように再構成した、比較的短時間の動画像である。
【０００３】
特許文献１には、入力された映像のどの部分をダイジェストに使用して、どのようなダイジェストが出来上がるかのイメージを示すダイジェスト案を提示する手段を備えた映像編集装置が開示されている。そして、特許文献１では、ユーザからダイジェスト案の作成をやり直したいという要求があれば、選択基準を変更し再度ダイジェスト案を作成する。
【先行技術文献】
【特許文献】
【０００４】
【特許文献１】特開２００９−１８２７６２号公報
【発明の概要】
【発明が解決しようとする課題】
【０００５】
しかしながら、従来のダイジェスト動画像生成装置には以下のような問題点がある。なおこれ以降、当明細書にて「画像」と記述する場合、特に注記がなければそれは動画像であるが、静止画像を含んでも構わない。「画像ファイル」、「画像データ」も同様である。
【０００６】
特許文献１において、ダイジェスト案を最初に作成する際には、ユーザの意向を聞かないため、ユーザの所望とするダイジェスト案が作られるとは限らない。そのため、ユーザは選択基準を変更した後、再度ダイジェスト案を作成しなければならない可能性が高い。このように、特許文献１には、作成処理を複数回しなくては所望のダイジェスト動画像を作成することが出来ないという課題がある。
【０００７】
また、長時間の映像、又は大量の映像が入力された場合、ダイジェスト案を提示する領域が長大になってしまい、ユーザが全体を確認するのが困難になってしまうという課題がある。
【０００８】
本発明は上記の点に鑑みてなされたものであり、ユーザが作成処理を複数回せずとも、所望するダイジェスト動画像を作成でき、また、長時間・大量の映像が入力された場合でも、ダイジェストの出来上がりイメージを容易に確認できる、映像編集装置または方法を提供する。
【課題を解決するための手段】
【０００９】
（１）斯かる実情に鑑み、第１の発明による映像合成装置は、複数の画像データから構成される画像データ群を入力する画像入力部と、ダイジェスト方針の選択画面を作成、表示するダイジェスト方針表示部と、前記選択画面においてユーザが選択した前記ダイジェスト方針に基づいて、前記画像データ群からダイジェスト動画像を生成するダイジェスト動画像生成部とを備える映像編集装置であって、前記ダイジェスト方針表示部は、前記画像データ群から背景画像を選択し、前記背景画像を用いて前記選択画面を作成することを特徴とする。
【００１０】
（２）また、第２の発明による映像合成装置は、前記ダイジェスト方針表示部は、前記画像データ群を構成する画像データ各々からフレームを選択し、前記選択したフレームを時間的に結合したものを背景画像とすることを特徴とする。
【００１１】
（３）また、第３の発明による映像合成装置は、前記ダイジェスト方針表示部は、前記背景画像を前記ダイジェスト方針ごとに選択することを特徴とする。
【００１２】
（４）また、第４の発明による映像合成方法は、複数の画像データから構成される画像データ群を入力するステップと、ダイジェスト方針の選択画面を作成、表示するステップと、前記前記選択画面においてユーザが選択した前記ダイジェスト方針に基づいて、前記画像データ群からダイジェスト動画像を生成するステップとを有する映像編集方法であって、さらに、前記画像データ群から背景画像を選択し、前記背景画像を用いて前記選択画面を作成することを特徴とする
【発明の効果】
【００１３】
本発明によれば、ユーザが作成処理を複数回せずとも、所望するダイジェスト動画像を作成でき、また、長時間・大量の映像が入力された場合でも、ダイジェストの出来上がりイメージを短時間で確認できる。
【図面の簡単な説明】
【００１４】
【図１】本発明に係る映像編集装置の内部構成を示す概念図である。
【図２】本発明によるシーン情報の一例を示す図である。
【図３】ダイジェスト方針表示部の内部構成を示す概念図である。
【図４】本発明によるダイジェスト方針選択画面の一例を示す図である。
【図５】ダイジェスト方針表示部の内部構成を示す概念図である。
【図６】本発明における映像編集装置が実行する処理手順例を示すフローチャートである。
【図７】本発明におけるダイジェスト方針表示部が実行する処理手順例を示すフローチャートである。
【発明を実施するための形態】
【００１５】
（第１の実施形態）
以下、図面を参照しながら本発明の実施形態について説明する。
【００１６】
図１は、本発明に係る第１の実施形態である映像編集装置の構成を示す概略図である。
【００１７】
映像編集装置１００は、画像入力部１０１、画像データ解析部１０２、シーン情報生成部１０３、ダイジェスト方針表示部１０４、ダイジェスト動画像生成部１０５および画像出力部１０６を含んで構成される。映像編集装置１００はさらに、図示は省略するが、画像データを格納するデータ記録部や、画像を表示する映像表示部を内部に備えてもよいし、それらと同様の機能を備えるデータ記録装置や映像表示装置を、外部に接続可能な構成であってもよい。
【００１８】
ここで、画像データとは、動画像を記録したデータであって、動画像の再生時間、撮影もしくは作成された日時を示す日時情報、撮影・作成された際の場所（位置）を示す位置情報、撮影もしくは作成したユーザまたは機器を示す作成者情報などのメタデータを含む電子データである。各画像データは、図示しない記録メディアに格納された電子ファイルであってもよく、あるいは、撮影装置から入力された画像・音声信号を含むデジタルデータであってもよい。また、画像データに静止画像を含んでいても構わない。
【００１９】
次に、映像編集装置１００の各機能ブロックについて述べる。
【００２０】
画像入力部１０１は、映像編集装置１００外部から画像データが入力される。画像データは１つの場合もあれば、複数の画像データである画像データ群である場合もある。
【００２１】
画像データ解析部１０２は、画像入力部１０１に入力された画像データの解析をする。そして、画像データ解析部１０２は、解析結果をシーン情報生成部１０３とダイジェスト方針表示部１０４に出力する。
【００２２】
具体的な解析方法としては、顔検出、笑顔検出、動き検出がある。
【００２３】
まず、顔検出の方法としては、例えば、所定サイズの領域単位で画像の特徴量を抽出し、Ｈａａｒ−Ｌｉｋｅ特徴量を利用した顔画像の識別器に基づいて顔領域を検出（識別）する方法がある。顔領域は矩形で検出され、検出結果としては矩形の左上端の画像中の座標、及び矩形の立て幅と横幅が出力される。
【００２４】
また、笑顔検出は、例えば、上記顔検出で検出された顔領域内で特徴量を抽出し、Ｈａａｒ−Ｌｉｋｅ特徴量を利用した笑っている口の画像の識別器に基づいて笑っている口の領域を検出する方法がある。笑っている口領域は矩形で検出され、検出結果としては矩形の左上端の画像中の座標、及び矩形の立て幅と横幅が出力される。
【００２５】
また、動き検出は、例えば、所定サイズの領域単位でオプティカルフローを推定するＬｕｃａｓ−Ｋａｎａｄｅ法を利用し、推定されたオプティカルフローを動きベクトルとみなす方法がある。動き検出の検出結果としては、画像中の領域ごとに検出された動きベクトルの平均値が出力される。
【００２６】
シーン情報生成部１０３は、画像データ解析部１０２から入力される解析結果に基づいて、画像データからダイジェストの生成に利用するシーンを決定し、各シーンを示す情報であるシーン情報を生成し、ダイジェスト動画像生成部１０５に出力する。シーン情報は、例えば、シーンが画像データ中のどの区間に対応するかを示す情報、シーンがどの解析処理の結果に基づいて決定されたかを示す情報などを含んで構成される。
【００２７】
より詳細にシーン情報生成部１０３および生成されるシーン情報について述べる。図２は、シーン情報生成部１０３が生成するシーン情報の一例である。図２に示したシーン情報２００は、シーンに関する情報を行単位で記述したものであり、各行２０１、２０２、２０３、…の記述がそれぞれ一つのシーンに対応するように構成される。各行２０１、２０２、２０３…で記述される情報は、左から順に、画像ファイル名、撮影年月日、撮影時刻、シーン長（シーン先頭フレーム番号、シーン終端フレーム番号）、解析情報を示している。
【００２８】
画像ファイル名は、各シーンを含む静止画像または動画像のデータの格納場所を示す文字列である。
【００２９】
撮影年月日および撮影時刻は、基本的には、各シーンが含まれる画像ファイルが記録された時点の年月日および時刻を示す文字列である。
【００３０】
シーン長は、シーン先頭フレーム番号、シーン終端フレーム番号を用いて管理することができる。シーン先頭フレーム番号およびシーン終端フレーム番号は、対応する画像ファイルにおける当該シーンの時間範囲を示す情報である。例えばシーン先頭フレーム番号が０、シーン終端フレーム番号が１４９の場合、対応する画像ファイルが３０ｆｐｓの動画像データであれば、ファイル先頭から５秒間のシーンであることを示している。なお、シーン長は、シーン先頭フレーム番号とシーン終端フレーム番号で管理する代わりに、シーンの開始時刻を示す情報およびシーン開始時刻からの経過時間を示す情報で管理してもよい。
【００３１】
シーン長は、シーン情報生成部１０３が、画像データ解析部１０２から入力される解析結果に基づいて設定する。例えば、顔検出の結果を参照し、最も大きい顔領域が検出されたフレームをシーン先頭フレームとし、そこから特定の時間経過後、例えば５秒後、のフレームをシーン終端フレームとして設定する。また、最も大きい顔領域が検出されたフレームがシーンの中心になるように、フレームの２．５秒前をシーン先頭フレーム、２．５秒後をシーン終端フレームとして設定してもよい。また、シーン先頭フレームとして、笑顔検出の結果である笑っている口領域を参照し、顔領域内で笑っている口が検出された顔領域の中で最も大きい顔領域が検出されたフレームを設定してもよいし、動き検出の結果である動きベクトルの平均値が最大となるフレームを設定してもよい。
【００３２】
そして、解析情報は、当該シーンがどの解析処理の結果に基づいて決定されたかを示す情報である。解析情報は、「顔検出（０）」、「笑顔検出（１）」、「動き検出（２）」の３種類の値をとり得る。
【００３３】
ここで、シーン先頭フレーム番号およびシーン終端フレーム番号と、撮影時刻の関係について説明する。画像ファイルの撮影時刻は通常、画像をファイルとして記録する時刻、すなわち撮影完了時の時刻が記録される。シーン情報生成部１０３が、ある画像ファイルのシーン情報を生成する過程で、画像ファイルを複数のシーンに分割しない場合は、画像ファイルの撮影時刻がそのまま対応するシーンの撮影時刻に相当する。しかし、シーン情報生成部１０３が、一つの画像ファイルを複数シーンに分割した場合には、各シーンの撮影時刻に相当する時刻は、元の画像ファイルの撮影時刻が示す時刻とは一致しないことがある。従って、シーン情報生成部１０３は、一つの画像ファイルを複数シーンに分割した場合には、その画像ファイルに関して記録されている撮影時刻ShootTime、動画像のフレームレートfr_rate、フレーム数FALLと、分割した各シーンのシーン終端フレーム番号Sendとの関係から、各シーンの終端時刻に相当する時刻EndTime（EndTime=ShootTime-(FALL-Send)/fr_rate）を算出して、それをシーンごとの撮影時刻として、シーン情報を生成する。そのようにしておくことで、後でシーン情報を参照する際に、画像ファイル名やフレーム番号は参照せず、撮影年月日および撮影時刻のみを比較することで、各シーンの時間的な前後関係を特定することが可能になる。なお、シーン情報生成部１０３は、各シーンの画像信号の解析の過程で各シーンの時間的な長さを取得し、取得したシーン長とそのシーンが含まれる画像データの撮影時刻との比較に基づいて、適切な撮影年月日や撮影時刻が記録されるように調整する。例えば、画像ファイルとしての撮影年月日が２０１４年１月１日、撮影時刻が午前０：０１：００と記録されていても、その画像ファイルの動画像全体の長さが数分間にわたるような場合、その画像ファイルの先頭部分をシーンとして抜き出した場合は、抜き出したシーンの実際の撮影年月日は、画像ファイルの撮影年月日とは異なる２０１３年１２月３１日であり、撮影時刻は例えば２３：５９：００などとなる。
【００３４】
なお、シーン情報として生成されるシーン先頭フレーム番号およびシーン終端フレーム番号は、画像ファイル内の時間的な位置を特定する別の情報で置き換えてもよい。例えば、画像ファイルの先頭からの経過時間を秒単位もしくは秒単位＋フレーム番号で表しても、シーン先頭およびシーン終端の時間的な位置を特定することができる。そこで、シーン先頭フレーム番号およびシーン終端フレーム番号の代わりに、シーン先頭を示す画像ファイル内経過時間およびシーン終端を示す画像ファイル内経過時間を、シーン情報として生成してもよい。
【００３５】
ダイジェスト方針表示部１０４は、画像データ解析部１０２から入力される解析結果に基づいて、ダイジェスト方針に対応した背景映像を画像データから選択し、選択した背景映像を用いてダイジェスト方針選択画面を作成する。ダイジェスト方針表示部１０４は、作成したダイジェスト方針選択画面をユーザに対して表示する。ダイジェスト方針表示部１０４は、ユーザがダイジェスト方針選択画面上で選択したダイジェスト方針をダイジェスト動画像生成部１０５に出力する。
【００３６】
図３は、本実施形態におけるダイジェスト方針表示部１０４の内部構成である。ダイジェスト方針表示部１０４は、背景画像設定部１０４１、ダイジェスト方針選択画面作成部１０４２、ダイジェスト方針選択画面表示部１０４３を含んで構成される。
【００３７】
背景画像設定部１０４１は、画像データ解析部１０２から入力される解析結果に基づいて、画像データから背景映像として用いるフレームを選択し、ダイジェスト方針選択画面作成部１０４２に出力する。選択方法としては、例えば、画像データ群の中で最も大きい顔領域が検出されたフレームを背景画像として選択してもよい。または、笑った口が検出された顔の中から顔領域が最大のフレームを背景画像として選択してもよい。または、動きベクトルの平均値が最大のフレームを背景画像として選択してもよい。
【００３８】
また、背景映像として用いるフレームは、画像データごとに１フレーム選択するようにしてもよい。この場合、各画像データから選択されたフレームを時間的に結合することによりスライドショー形式の背景画像を作成することとなる。フレームの結合順は、画像データを撮影した日付・時刻順でもよいし、顔領域が大きい順、又は小さい順でもよいし、動きベクトルの平均値が大きい順、又は小さい順でもよい。
【００３９】
ダイジェスト方針選択画面作成部１０４２は、背景画像設定部１０４１から入力される背景画像を用いてダイジェスト方針選択画面を作成する。具体的なダイジェスト方針としては、例えば、「人物優先」、「笑顔優先」、「動き優先」がある。「人物優先」とは、画像データ中の人が撮影されている箇所を中心にダイジェストを作成する方針のことである。「笑顔優先」とは、画像データ中の笑っている人が撮影されている箇所を中心にダイジェストを作成する方針のことである。「動き優先」とは、画像データ中の画面全体に動きのある箇所を中心にダイジェストを作成する方針のことである。
【００４０】
図４は、ダイジェスト方針選択画面作成部１０４２が作成するダイジェスト方針選択画面の一例を示す図である。方針案１、方針案２、方針案３はダイジェスト方針の候補であり、それぞれ「人物優先」、「笑顔優先」、「動き優先」に対応している。そして、ユーザが図示しない選択手段を用いて方針案のいずれかをダイジェスト方針として選択する。選択手段としては、例えば、ダイジェスト方針選択画面がタッチパネル式のディスプレイに表示されているのであれば、ユーザは各方針案が表示されている領域をタップすることで選択する。また、パソコンのディスプレイに表示されているのであれば、マウスカーソルを各方針案が表示されている領域に重畳させクリックすることで選択する。また、テレビに表示されているのであれば、リモコンの対応番号、方針案１であれば「１」、を押すことで選択する。
【００４１】
そして、方針案１、方針案２、方針案３の背景画像として、背景画像設定部１０４１から入力されたフレームを設定する。つまり、「人物優先」に対応する方針案１の背景画像としては、最も大きい顔領域が検出されたフレームが設定される。また、「笑顔優先」に対応する方針案２の背景画像としては、笑った口が検出された顔の中から顔領域が最大のフレームが設定される。「動き優先」に対応する方針案３の背景画像としては、動きベクトルの平均値が最大のフレームが設定される。
【００４２】
ダイジェスト方針選択画面表示部は、ダイジェスト方針選択画面作成部１０４２が作成するダイジェスト方針選択画面を表示する。そして、ユーザが選択したダイジェスト方針をダイジェスト動画像生成部１０５に出力する。
【００４３】
また、背景画像設定部１０４１は、背景画像として画像データ群から１フレームだけ選択するのではなく、画像データごとに選択するようにしてもかまわない。その場合、ダイジェスト方針選択画面作成部１０４２は、背景画像設定部１０４１から入力された複数のフレームを結合したスライドショーをダイジェスト方針ごとに作成し、背景画像として設定する。
【００４４】
また、ダイジェスト方針表示部１０４の別形態として、入力として画像データ解析部１０２の解析結果ではなく、シーン情報生成部１０３のシーン情報を用いてもよい。図５は、本別形態におけるダイジェスト方針表示部１０４Ａの内部構成である。ダイジェスト方針表示部１０４Ａは、入力としてシーン情報生成部１０３からシーン情報を受け取る。ダイジェスト方針表示部１０４Ａの背景画像設定部１０４１Ａは、シーン情報に基づいて、画像データから背景映像として用いるフレームを選択する。選択方法としては、まず、シーン情報のシーン長で指定される範囲内のフレームを画像データから選択する。選択されるフレームは範囲内であればよく、例えば、シーン先頭フレームやシーン終端フレームであってもよい。そして、選択したフレームを、シーン情報の解析情報の内容別に選別し、内容ごとにフレームを時間的に結合することでスライドショー形式の背景画像を作成する。つまり、解析情報の内容ごとに背景画像が作成される。このように、解析結果を用いる場合には、画像データ群の全ての解析結果を参照しなくてはならなかったが、シーン情報を用いることでシーン長及び解析情報のみを参照すればよくなり、背景画像の選択に係る処理量が削減されると言う効果を奏する。
【００４５】
ダイジェスト動画像生成部１０５は、画像入力部１０１から入力された画像データ群を対象として、シーン情報生成部１０３から入力されたシーン情報とダイジェスト方針表示部１０４から入力されたダイジェスト方針に基づいて、ダイジェスト動画像を生成し、画像出力部１０６に出力する。まず、ダイジェスト動画像生成部１０５は、画像データ群から、シーン情報に対応するシーンを抽出する。その際、参照するシーン情報は、ダイジェスト方針に対応する解析情報が設定されているシーン情報のみとする。例えば、ダイジェスト方針が「人物優先」の場合には、解析情報が「顔検出（０）」であるシーン情報のみを参照し、そのシーン情報に対応するシーンのみを抽出する。ダイジェスト方針が「笑顔優先」の場合には解析情報が「笑顔検出（１）」、ダイジェスト方針が「動き優先」の場合には解析情報が「動き検出（２）」のシーン情報のみを参照する。次に、ダイジェスト動画像生成部１０５は、シーン情報の撮影年月日と撮影時刻が早い順番で抽出したシーン参照し、複数のシーンを時間的に結合することでダイジェスト動画像を生成する。
【００４６】
画像出力部１０６は、ダイジェスト動画像生成部１０５から入力されたダイジェスト動画像をユーザに表示するなりして出力する。
【００４７】
図６のフローチャートは、本発明の映像編集装置１００の実行する基本的な処理手順を示す。
【００４８】
本発明の映像編集装置１００は、このフローチャートに示すように、まず、ステップＳ１１で、画像入力部１０１で画像データ群が入力される。
【００４９】
続いて、ステップＳ１２で、画像データ解析部１０２は、入力された画像データ群に対し各種解析、例えば、顔検出、笑顔検出、動き検出、を実施する。
【００５０】
続いて、ステップＳ１３で、シーン情報生成部１０３は、画像データ解析部１０２で実施された解析の結果に基づいて、シーン情報を生成する。
【００５１】
続いて、ステップＳ１４で、ダイジェスト方針表示部１０４は、ユーザに対してダイジェスト方針画面を表示する。そして、ユーザにより表示された複数のダイジェスト方針のうちの１つが選択される。
【００５２】
続いて、ステップＳ１５で、ダイジェスト動画像生成部１０５は、画像データ群を対象として、シーン情報と選択されたダイジェスト方針に基づいて、ダイジェスト動画像を生成する。
【００５３】
続いて、ステップＳ１６で、画像出力部１０６は、ダイジェスト動画像をユーザに表示するなりして出力する。
【００５４】
図７のフローチャートは、本発明のダイジェスト方針表示部１０４の実行する基本的な処理手順を示す。
【００５５】
本発明のダイジェスト方針表示部１０４は、このフローチャートに示すように、まず、ステップＳ１４１で、背景画像設定部１０４１は、画像データ解析部１０２で実施された解析の結果に基づいて、画像データ群から背景画像を選択する。
【００５６】
続いて、ステップＳ１４２で、ダイジェスト方針選択画面作成部は、背景画像を用いてダイジェスト方針画面を作成する。
【００５７】
続いて、ステップＳ１４３で、ダイジェスト方針選択画面表示部は、ダイジェスト方針画面をユーザに対して表示する。
【００５８】
続いて、ステップＳ１４４で、ダイジェスト方針選択画面表示部は、ユーザがダイジェスト方針画面上のダイジェスト方針を選択するイベント、例えば、タップ、クリック、リモコン操作、を取得する。
【００５９】
以上説明したように、ダイジェスト方針を選択する画面において、各ダイジェスト方針に対応した背景画像を入力した画像データ群から作成することにより、ユーザはダイジェスト方針に対応するダイジェスト動画像のイメージがしやすくなる。そのため、何度も作成処理をすることなく所望のダイジェスト動画像を作成することが出来るため、手間がすくなくなるという効果を奏する。また、背景画像は、画像データ群から１フレームもしくはスライドショーとして作成するため、画像データ群が長時間・大量になったとしても表示される領域はそれに合わせて長大になることはないため、ユーザは容易に確認することが出来る、という効果を奏する。
【００６０】
なお、上述した実施形態における映像編集装置１００の一部、例えば、画像入力部１０１、画像データ解析部１０２、シーン情報生成部１０３、ダイジェスト方針表示部１０４、１０４Ａダイジェスト動画像生成部１０５、および画像出力部１０６を、コンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、映像編集装置１００に内蔵されたコンピュータシステムであって、ＯＳや周辺機器等のハードウェアを含むものとする。また、「コンピュータ読み取り可能な記録媒体」とは、メモリカード、光磁気ディスク、ＣＤ−ＲＯＭ、ＤＶＤ−ＲＯＭ等の可搬媒体、コンピュータシステムに内蔵されるハードディスク、ＳＳＤ等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んで良い。また上記プログラムは、前述した機能の一部を実現するためのものであっても良く、さらに前述した機能をコンピュータシステムにすでに記録されているプログラムとの組み合わせで実現できるものであっても良い。
【００６１】
また、上述した実施形態における映像編集装置１００の一部、または全部を、ＬＳＩ（Large Scale Integration）等の集積回路として実現しても良い。映像編集装置１００の各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００６２】
以上、図面を参照してこの発明の複数の実施形態について詳しく説明してきたが、具体的な構成は上述のものに限られることはなく、この発明の要旨を逸脱しない範囲内において様々な設計変更等をすることが可能である。
【産業上の利用可能性】
【００６３】
本発明は、静止画像や動画像を入力としていわゆるダイジェスト動画像を生成する映像編集装置に好適に適用することができる。
【符号の説明】
【００６４】
１００…映像編集装置
１０１…画像入力部
１０２…画像データ解析部
１０３…シーン情報生成部
１０４、１０４Ａ…ダイジェスト方針表示部
１０４１、１０４１Ａ…背景画像設定部
１０４２…ダイジェスト方針選択画面作成部
１０４３…ダイジェスト方針選択画面表示部
１０５…ダイジェスト動画像生成部
１０６…画像出力部
【図１】
2016072787.tif 000003
【図２】
2016072787.tif 000004
【図３】
2016072787.tif 000005
【図４】
2016072787.tif 000006
【図５】
2016072787.tif 000007
【図６】
2016072787.tif 000008
【図７】
2016072787.tif 000009